(57)【要約】【課題】同時に給気するエアバッグの数にかかわりなく同じマッサージ効果を得られるものとする。。【解決手段】複数のエアバッグ３２，３３，３４と、これらエアバッグに夫々バルブ３５，３６，３７を介して接続された空気供給用のポンプ３８と、上記各バルブの開閉制御及び上記ポンプの駆動制御を行う制御回路３１とを備える。上記制御回路は同時に空気を供給するエアバッグの数に応じてポンプ及び／またはバルブの制御を変更する。同時に給気するエアバッグの数にかかわらず給気によるエアバッグの圧力を同じとすることができる。【選択図】図１
2006296995.tif 000002
【特許請求の範囲】
【請求項１】
複数のエアバッグと、これらエアバッグに夫々バルブを介して接続された空気供給用のポンプと、上記各バルブの開閉制御及び上記ポンプの駆動制御を行う制御回路とを備えたマッサージ機において、上記制御回路は同時に空気を供給するエアバッグの数に応じてポンプ及び／またはバルブの制御を変更するものであることを特徴とするマッサージ機。
【請求項２】
制御回路は同時に空気を供給するエアバッグの数に応じてポンプの吐出圧力を変更するものであることを特徴とする請求項１記載のマッサージ機。
【請求項３】
制御回路は同時に空気を供給するエアバッグの数に応じてエアバッグへの給気時間を変更するものであることを特徴とする請求項１記載のマッサージ機。
【請求項４】
制御回路は回路は同時に空気を供給するエアバッグの数に応じてエアバッグへの給気パターンを変更するものであることを特徴とする請求項１または３記載のマッサージ機。
【発明の詳細な説明】
【技術分野】
【０００１】
本発明は、複数のエアバッグを備えているマッサージ機に関するものである。
に関するものである。
【背景技術】
【０００２】
エアバッグを膨張収縮させることでマッサージを行うマッサージ機は各種のものが提供されており、特開平０５−０４９６６１号公報には各部位のマッサージ用の複数のエアバッグへの給気を単一のポンプで行うものが示されている。
【０００３】
ここにおいて、マッサージをより効果的にするために、あるいはマッサージに要する時間の短縮のために、複数のエアバッグに単一のポンプで同時に給気すると、エアバッグ一つ当たりの給気力が減少してしまうために、単一のエアバッグのみに給気を行う場合と比較してマッサージ効果が減少してしまう。
【特許文献１】特開平０５−０４９６６１号公報
【発明の開示】
【発明が解決しようとする課題】
【０００４】
本発明は上記の従来の問題点に鑑みて発明したものであって、同時に複数のエアバッグに給気して複数部位のマッサージを同時に行う場合も、単一のエアバッグにのみ給気してある部位のみのマッサージを行う場合と同様のマッサージ効果を得ることができるマッサージ機を提供することを課題とするものである。
【課題を解決するための手段】
【０００５】
上記課題を解決するために本発明に係るマッサージ機は、複数のエアバッグと、これらエアバッグに夫々バルブを介して接続された空気供給用のポンプと、上記各バルブの開閉制御及び上記ポンプの駆動制御を行う制御回路とを備えたマッサージ機において、上記制御回路は同時に空気を供給するエアバッグの数に応じてポンプ及び／またはバルブの制御を変更するものであることに特徴を有している。同時に給気するエアバッグの数にかかわらず給気によるエアバッグの圧力を同じとすることができる。
【０００６】
この時、制御回路は同時に空気を供給するエアバッグの数に応じてポンプの吐出圧力を変更するものであっても、エアバッグの数に応じてエアバッグへの給気時間を変更するものであっても、更にはエアバッグの数に応じてエアバッグへの給気パターンを変更するものであってもよい。
【発明の効果】
【０００７】
本発明は、複数のエアバッグに同時に給気を行う際にも単一のエアバッグに給気を行う場合と比較して、同様のマッサージ効果を得ることができる。また、同時に給気を行うエアバッグの数に応じて制御を変更するために、圧力センサ等の部品を追加して制御を変更する場合などに比して、安価に高い効果を得ることができる。
【発明を実施するための最良の形態】
【０００８】
以下、本発明を添付図面に示す実施形態に基いて説明すると、図１は脚用のエアバッグ３２と座用のエアバッグ３３と手用のエアバッグ３４の３種のエアバッグ３２，３３，３４を備えたマッサージ機を示しており、各エアバッグ３２，３３，３４は夫々３方弁で構成されたバルブ３５，３６，３７を介してポンプ３８に接続されており、ポンプ３８の可動時でバルブ３５，３６，３７が開いた時にはポンプ３８からエアバッグ３２，３３，３４への給気が行われ、バルブ３５，３６，３７が閉じられた際にはエアバッグ３２，３３，３４内の空気の排気がバルブ３５，３６，３７を通じて行われる。
【０００９】
上記ポンプ３８はその吐出圧力を変更することができるもので、該ポンプ３８の動作制御と上記バルブ３５，３６，３７の開閉制御とを行う制御回路３１は、同時に給気すべきエアバッグ３２，３３，３４の数に応じて、ポンプ３８からの吐出圧力を変更するものとなっている。たとえば吐出圧力を１０段階で変更することができる時、給気すべきエアバッグが１つだけであれば圧力設定値３でポンプ３８を駆動し、給気すべきエアバッグが２つであれば圧力設定値６でポンプ３８を駆動し、給気すべきエアバッグが３つであれば圧力設定値９でポンプ３８を駆動するようになっている。このために、あるエアバッグを所定の圧力（たとえば２０ｋＰａ）まで膨張させるのに要する時間は、同時に給気するエアバッグの数にかかわらず一定である。
【００１０】
ポンプ３８の吐出圧力の制御に代えて、バルブ３４，３５，３６の開時間を変更してもよい。給気すべきエアバッグが１つだけであればそのエアバッグへの給気用のバルブを１０秒間だけ開くとともにその間だけポンプ３８を作動させ、給気すべきエアバッグが２つであればこれらのエアバッグへの給気用の２つのバルブを２０秒間だけ開くとともにその間だけポンプ３８を作動させ、更に給気すべきエアバッグが３つであればこれらエアバッグへの給気用の３つのバルブを３０秒間だけ開くとともにその間だけポンプ３８を作動させるのである。同時に給気するエアバッグの数に応じて所定圧力に達するまでの時間が変化してしまうものの、常にエアバッグ内の圧力を所定の圧力まで高めることができる。
【００１１】
このほか、バルブの開閉パターンを変化させることで同時に給気するエアバッグの数に対応させてもよい。たとえば、給気すべきエアバッグが１つだけである時、図２に示すように、２秒間の給気と１秒間の排気を２回繰り返した後、４秒間の給気を行うというパターンで給気を行うことで、最終的に圧力が２０ｋＰａに達する図４に示すような圧力変化を得ている時、同じパターンで２つのエアバッグに同時に給気を行えば、図５に示すように各エアバッグの圧力変化が最大１５ｋＰａとなってしまうが、図３に示すようにパターンを変更して、２秒間の給気と１秒間の排気を３回繰り返した後、４秒間の給気を行うというパターンで給気を行うと、最終的に圧力が２０ｋＰａに達する図６に示すような圧力変化を得ることができ、所要の圧力による目標のマッサージ効果を得ることができる。この場合、制御回路３１は同時に給気するエアバッグの数に応じて、予め記憶されているパターンでポンプ及びバルブの制御を行う。
【図面の簡単な説明】
【００１２】
【図１】本発明の実施の形態の一例のブロック図である。
【図２】同上の給気パターンの一例の説明図である。
【図３】同上の給気パターンの他例の説明図である。
【図４】同上のエアバッグの圧力変化の一例の説明図である。
【図５】同上のエアバッグの圧力変化の一例の説明図である。
【図６】同上のエアバッグの圧力変化の一例の説明図である。
【符号の説明】
【００１３】
３１  制御回路
３２  エアバッグ
３３  エアバッグ
３４  エアバッグ
３５  バルブ
３６  バルブ
３７  バルブ
３８  ポンプ
【図１】
2006296995.tif 000003
【図２】
2006296995.tif 000004
【図３】
2006296995.tif 000005
【図４】
2006296995.tif 000006
【図５】
2006296995.tif 000007
【図６】
2006296995.tif 000008